(57)【要約】      （修正有）【課題】ノイズ低減可能なシェイクヘッド機能付きファンを提供する。【解決手段】シェイクヘッド機能付きファンは、ファンホスト部、本体部、バッテリーベース部を備え、ファンホスト部が本体部の上部に設けられ、バッテリーベース部が本体部の下部に固定され、本体構造部の上部にさらに軸受内軸２１２が設けられ、軸受内軸２１２に軸受１２が嵌合され、ファンホスト部が軸受１２の周りに回転可能に配置され、本体構造のハウジングにおけるプラットフォーム２１４に回転アーム２６が設けられ、その上方に円形の回転トレイ２３が固定配置され、両者が同時に軸受内軸２１２及び軸受１２を貫通する。したがって、ユーザーがファンを自在に回転することができ、軸受１２を増設してファンの回転をより安定させ、ノイズを低減させた。【選択図】図３
0003220214.tif 000002
【実用新案登録請求の範囲】
【請求項１】
ファンホスト部、本体部、バッテリーベース部を備え、前記ファンホスト部が本体部の上部に設けられ、前記バッテリーベース部が本体部の下部に固定され、前記本体構造部の上部にさらに軸受内軸が設けられ、前記軸受内軸に軸受が嵌合され、ファンホスト部が軸受の周りに回転可能に配置されることを特徴とするノイズ低減可能なシェイクヘッド機能付きファン。
【請求項２】
前記本体構造のハウジングにおけるプラットフォームに回転アームが設けられ、その上方に円形の回転トレイが固定配置され、両者が同時に軸受内軸及び軸受を貫通することを特徴とする請求項１に記載のノイズ低減可能なシェイクヘッド機能付きファン。
【請求項３】
前記回転アームは略レンチ形状であり、回転ハンドル及び回転開口部を含み、前記回転ハンドルにトラックスロットが設けられ、前記本体構造のハウジング内にさらに低速モータが設けられ、該低速モータと回転アームとの間にさらに回転クランクシャフトが設けられ、該クランクシャフトの下方に低速モータが接続され、上方がトラックスロット内に挿入され、前記低速モータにさらにモータファスナーが設けられ、前記本体構造内にさらに回路基板、シェイクヘッドスイッチ、ファンスイッチが設けられ、前記回路基板がシェイクヘッドスイッチ、ファンスイッチ、低速モータと電気的に接続されることを特徴とする請求項２に記載のノイズ低減可能なシェイクヘッド機能付きファン。
【請求項４】
前記ファンホスト部はファンアセンブリ及びブラケットアセンブリを含み、前記ブラケットアセンブリの下部に環状溝が設けられ、前記環状溝の下方にファン固定用保持リングが設けられ、前記ファン固定用保持リングに突起部が設けられ、前記突起部が環状溝と係合され、該ファン固定用保持リングが回転アームと回転トレイとの間に固定されることを特徴とする請求項３に記載のノイズ低減可能なシェイクヘッド機能付きファン。
【請求項５】
前記円形の回転トレイの内部にさらに波状歯が設けられることを特徴とする請求項４に記載のノイズ低減可能なシェイクヘッド機能付きファン。
【請求項６】
前記ブラケットアセンブリは第１ハーフブラケット及び第２ハーフブラケットを含み、第１ハーフブラケット及び第２ハーフブラケットによりブラケットアセンブリが組み合わせられ、ブラケットアセンブリの上部に回転軸が設けられ、前記回転軸に２つの弾性ボスが設けられ、前記２つの弾性ボスが対称的に配置され、前記ファンアセンブリがファンブレード、第１ファンブレードシェル、第２ファンブレードシェルを含み、前記第１ファンブレードシェル及び第２ファンブレードシェルが互いに係合してファンブレードを内部に包み、前記第１ファンブレードシェルと第２ファンブレードシェルとの係合位置に均一な溝が設けられ、前記溝が前記弾性ボスと係合されることを特徴とする請求項５に記載のノイズ低減可能なシェイクヘッド機能付きファン。
【請求項７】
前記バッテリーベース部はベース、バッテリー、バッテリーカバーを含むことを特徴とする請求項１〜６のいずれか一項に記載のノイズ低減可能なシェイクヘッド機能付きファン。
【請求項８】
前記本体構造のハウジングにＵＳＢインターフェースが設けられることを特徴とする請求項１〜７のいずれか一項に記載のノイズ低減可能なシェイクヘッド機能付きファン。
【考案の詳細な説明】
【技術分野】
【０００１】
本考案は家電分野に関し、特にノイズ低減可能なシェイクヘッド機能付きファンに関する。
【背景技術】
【０００２】
ファンは暑い日に風を起こして涼しさを与える用具を指す。電動ファンは、電動駆動により気流を発生させる装置であり、内部に配置されたファンに通電して回転させ、自然風を起こして冷却効果を得るが、現在のファンはモータに従って回転するのみであり、  その回転をユーザーにより自在に調整することができず、ユーザーにより調整できても、調整するとき、ファン自身の回転にも影響する。また従来のファンのノイズが大きく、この問題も解決する必要がある。
【考案の概要】
【考案が解決しようとする課題】
【０００３】
本考案の目的は上記従来の技術における欠点に対して、ノイズ低減可能なシェイクヘッド機能付きファンを提供することである。
【０００４】
本考案の技術的解決手段はノイズ低減可能なシェイクヘッド機能付きファンを設計することである。ファンホスト部、本体部、バッテリーベース部を備え、前記ファンホスト部が本体部の上部に設けられ、前記バッテリーベース部が本体部の下部に固定され、前記本体構造部の上部にさらに軸受内軸が設けられ、前記軸受内軸に軸受が嵌合され、ファンホスト部が軸受の周りに回転可能に配置されることを特徴とする。
【０００５】
好ましくは、前記本体構造部はさらに本体構造のハウジングを含み、前記本体構造のハウジングがハウジング構造であり、その上表面に貫通孔が設けられ、該貫通孔の側面が下へ延在して上表面と直交する２つの壁を形成し、２つの壁同士間にプラットフォームが設けられ、前記軸受内軸がプラットフォームに一体配置される。
【０００６】
好ましくは、前記本体構造のハウジングのプラットフォームに回転アームが設けられ、その上方に円形の回転トレイが固定配置され、両者が同時に軸受内軸及び軸受を貫通する。
【０００７】
好ましくは、前記回転アームは略レンチ形状であり、回転ハンドル及び回転開口部を含み、前記回転ハンドルにトラックスロットが設けられ、前記本体構造のハウジング内にさらに低速モータが設けられ、該低速モータと回転アームとの間にさらに回転クランクシャフトが設けられ、該クランクシャフトの下方に低速モータが接続され、上方がトラックスロット内に挿入され、前記低速モータにさらにモータファスナーが設けられ、前記本体構造内にさらに回路基板、スイッチ、速度調整ノブが設けられ、前記回路基板はスイッチ、速度調整ノブ、低速モータと電気的に接続される。
【０００８】
好ましくは、前記環状溝の下方にファン固定用保持リングが設けられ、前記ファン固定用保持リングに突起部が設けられ、前記突起部が環状溝と係合され、該ファン固定用保持リングが回転アームと回転トレイとの間に固定される。
【０００９】
好ましくは、前記円形の回転トレイの内部にさらに波状歯が設けられる。
【００１０】
好ましくは、前記ブラケットアセンブリは第１ハーフブラケット及び第２ハーフブラケットを含み、第１ハーフブラケット及び第２ハーフブラケットによりブラケットアセンブリが組み合わせられ、ブラケットアセンブリの上部に回転軸が設けられ、前記回転軸に２つの弾性ボスが設けられ、前記２つの弾性ボスが対称的に配置され、前記ファンアセンブリがファンブレード、第１ファンブレードシェル、第２ファンブレードシェルを含み、前記第１ファンブレードシェル及び第２ファンブレードシェルが互いに係合してファンブレードを内部に包み、前記第１ファンブレードシェルと第２ファンブレードシェルとの係合位置に均一な溝が設けられ、前記溝が前記弾性ボスと係合される。
【００１１】
好ましくは、前記バッテリーベース部はベース、バッテリー、バッテリーカバーを含む。
【００１２】
好ましくは、前記本体構造のハウジングにＵＳＢインターフェースが設けられる。
【００１３】
従来の技術と比べると、本考案は少なくとも以下の有益な効果を有する。
【００１４】
本考案に記載のノイズ低減可能なシェイクヘッド機能付きファンであって、ファンが動作するとき、ユーザーはブラケットアセンブリの回転を手動で制御することができ、回転角がほぼ３６０度であり、モータに従うファンの回転にはまったく影響を与えず、軸受を増設してファンの回転をより安定させ、ノイズを低減させる。
【図面の簡単な説明】
【００１５】
【図１】図１は本考案による実施例の概略分解図である。
【図２】図２は本考案による実施例の詳細な概略分解図である。
【図３】図３は本考案による実施例の本体部の概略分解図である。
【図４】図４は本考案による実施例のブラケットアセンブリを組み合わせた後の概略図である。
【図５】図５は本考案による実施例のブラケットアセンブリを組み合わせる前の概略図である。
【図６】図６は本考案による実施例のファンアセンブリを組み合わせる前の概略図である。
【図７】図７は本考案による実施例のファン固定用保持リングの概略図である。
【考案を実施するための形態】
【００１６】
以下、添付の図面及び実施例を参照しながら、本考案をさらに説明する。
【００１７】
図１〜２に示すように、本実施例はノイズ低減可能なシェイクヘッド機能付きファンを提供し、前記ノイズ低減可能なシェイクヘッド機能付きファンは、ファンホスト部１、本体構造部２、バッテリーベース部３を備え、ファンホスト部が本体構造部２の上部に回転可能に配置され、それによりファンホスト部１を回転可能にする。前記バッテリーベース部３は本体部１の下部に固定され、前記本体構造部２の上部にさらに軸受内軸２１２が設けられ、前記軸受内軸２１２に軸受１２が嵌合され、ファンホスト部が軸受の周りに回転可能に配置される。軸受構造を設けることにより、本装置の回転を安定させ、ノイズを低減させた。
【００１８】
図３に示すように、本体構造部２はさらに本体構造のハウジング２５を含み、本体構造のハウジング２５がハウジング構造であり、その内部に他の部品が設けられ、その上表面に貫通孔２１５が設けられ、該貫通孔の側面が下へ延在して上表面と直交する２つの壁２１３を形成し、２つの壁同士間にプラットフォーム２１４が接続され、前記軸受内軸２１２がプラットフォーム２１４に一体配置される。本体構造のハウジングにおけるプラットフォーム２１４に回転アーム２６が設けられ、回転アーム２６の下部がプラットフォーム２１４と接触し、上部が円形の回転トレイ２３と固定配置され、両者も軸受１２の外部に嵌合され、かつ軸受内軸２１２と係合される。本体構造部２の下部がバッテリーベース部と係合され、バッテリーベース部はベース３１、バッテリー３２、バッテリーカバー３３を含む。
【００１９】
図３に示すように、回転アーム２６は略レンチ形状であり、回転ハンドル２６１及び回転開口部２６２の２つの部分を含み、回転ハンドル２６１にトラックスロット２６３が設けられ、本体構造のハウジング２内にさらに低速モータ２９が設けられ、該低速モータ２９と回転アーム２６との間にさらに回転クランクシャフト２８が設けられ、該クランクシャフト２８の下方に低速モータ２９が接続され、上方がトラックスロット２６３内に挿入され、それにより、低速モータ２９が駆動して回転クランクシャフト２８を回転させ、回転クランクシャフト２８の駆動により回転アーム２６を回転させる。低速モータ２９の外部にさらに低速モータを保護するためのモータファスナー２１０が設けられる。前記本体構造内にさらに回路基板２７、シェイクヘッドスイッチ２１、ファンスイッチ２２が設けられ、シェイクヘッドスイッチ２１及びファンスイッチ２２がそれぞれ回路基板２７と電気的に接続され、この２つのスイッチでファンの動作を制御し、本体構造のハウジングにさらにＵＳＢインターフェースが設けられ、それにより本装置が移動して使用可能になり、より便利である。
【００２０】
図６に示すように、ファンホスト部１はファンアセンブリ１５及びブラケットアセンブリ１４を含み、ブラケットアセンブリ１４の下部に環状溝１４１が設けられ、環状溝１４１の下方にファン固定用保持リング２４が設けられ、前記ファン固定用保持リング２４に突起部２４１がさらに設けられ、前記突起部２４１が環状溝１４１と係合され、該ファン固定用保持リングが回転アーム２６と回転トレイ２３との間に固定される。回転アセンブリとブラケットアセンブリとの間の摩擦力を増加するために、円形の回転トレイの内部にさらに波状歯１８が設けられる。
【００２１】
図５に示すように、ブラケットアセンブリ１４は第１ハーフブラケット１４２及び第２ハーフブラケット１４３を含み、第１ハーフブラケット１４２及び第２ハーフブラケット１４３によりブラケットアセンブリ１４が組み合わせられ、ブラケットアセンブリの上部に回転軸１４４が設けられ、回転軸１４４に２つの弾性ボス１４５が設けられ、この２つの弾性ボス１４５が対称的に配置され、前記ファンアセンブリ１５はファンブレード（図には示されていない）、第１ファンブレードシェル１５１、第２ファンブレードシェル１５２を含み、前記第１ファンブレードシェル１５１及び第２ファンブレードシェル１５２が互いに係合してファンブレードを内部に包み、前記第１ファンブレードシェルと第２ファンブレードシェルとの係合位置に均一な溝１５３が設けられ、前記溝１５３が前記弾性ボス１４５と係合される。該溝１５３と弾性ボス１４５との係合により、ファンアセンブリが回転軸１４４に沿って回転し、回転力を大きくしないために、回転軸の中部に中空部分が設けられ、このようにして弾性ボス１４５が弾性を持つようになり、回転ブラケットがボス１４５を溝から、他の溝に移し、弾性で溝内に係止させる。取り付けた後、回転軸がユーザにより引き出されないようにするために、回転軸１４４の外部にも突起部１４６が設けられてもよい。
【００２２】
本実施例の動作原理は低速モータ２９が回転クランクシャフト２８を回転させ、回転クランクシャフト２８が偏心駆動して回転アーム２６を左右揺動させ、回転アーム２６が駆動して円形の回転トレイ２３を揺動させ、円形の回転トレイ２３が駆動してファンホスト部１を揺動させ、ファンのシェイクヘッド機能を実現する。
【００２３】
上記の実施例は、本考案の特定の実施形態を例示するためにのみ使用される。当業者であれば、本考案の概念から逸脱ぜずに、多くの変形及び修正を行うことができ、これらの変形及び修正はすべて本考案の保護範囲内に含まれるべきであることに留意されたい。
【図１】
0003220214.tif 000003
【図２】
0003220214.tif 000004
【図３】
0003220214.tif 000005
【図４】
0003220214.tif 000006
【図５】
0003220214.tif 000007
【図６】
0003220214.tif 000008
【図７】
0003220214.tif 000009